(57)【要約】      （修正有）【課題】袋綴じ部に、用紙片を内包させた雑誌類を提供する。【解決手段】最左列から一方向に連接された第１〜第５用紙片を有する用紙１０を用意し、第１用紙片の折線１を谷折し、第２用紙片の折線を山折し、第３用紙片の折線３を谷折する。さらに、露出した第３用紙片に折線３に沿って、糊代５ａを設け、折線４に沿って谷折して、糊代５ａ，５ｂ同士を貼り合わせ、袋綴じ部を作製する。さらに、この袋綴じ部の端辺にミーリングを施し、雑誌類に対して無線綴じする。【選択図】図４
0003136913.tif 000002
【実用新案登録請求の範囲】
【請求項１】
一方向に連接された第１〜第ｎ用紙片（ｎ≧３）のうち、第ｎ用紙片と第ｎ−１用紙片との間で折られた内側であって、第ｎ−２用紙片と第ｎ用紙片との端辺縁部における糊代よりも内側に、第１〜第ｎ−２用紙片が内包されるように折り畳まれ、前記糊代で接着された袋綴じ部を有し、
第ｎ−２用紙片と第ｎ用紙片との前記端辺縁部で前記袋綴じ部が無線綴じされていることを特徴とする雑誌類。
【請求項２】
第ｎ用紙片及び第ｎ−１用紙片の折線には、ミシン目が形成されていることを特徴とする請求項１に記載の雑誌類。
【請求項３】
第１〜第ｎ−２用紙片は三つ折された用紙片であることを特徴とする請求項１又は２に記載の雑誌類。
【考案の詳細な説明】
【技術分野】
【０００１】
本考案は、雑誌類の技術分野に属し、詳しくは、袋綴じ部を有する雑誌類に関する。
【背景技術】
【０００２】
従来、雑誌類には、店頭での立ち読みを防止するため、袋綴じが設けられており、また、その袋綴じも、掲載内容のボリューム化、意外性が嗜好されており、様々な袋綴じが提案されている（例えば特許文献１）。
【０００３】
【特許文献１】実用新案登録第２５３８３５５号公報
【考案の開示】
【考案が解決しようとする課題】
【０００４】
ところが、一枚の用紙片から掲載内容のボリュームが図られ、簡易に作製することができる袋綴じについては、未だ提案されていない。そこで、本考案は、袋綴じ部に、用紙片を内包させ、掲載内容のボリュームが図られる雑誌類を提供することを目的とする。
【０００５】
本考案に係る雑誌類は、
一方向に連接された第１〜第ｎ用紙片（ｎ≧３）のうち、第ｎ用紙片と第ｎ−１用紙片との間で折られた内側であって、第ｎ−２用紙片と第ｎ用紙片との端辺縁部における糊代よりも内側に、第１〜第ｎ−２用紙片が内包されるように折り畳まれ、前記糊代で接着された袋綴じ部を有し、
第ｎ−２用紙片と第ｎ用紙片との前記端辺縁部で前記袋綴じ部が無線綴じされていることを特徴とする。
【０００６】
本考案によれば、袋綴じ部は、第ｎ用紙片と第ｎ−１用紙片との間で折られ、第１〜第ｎ−２用紙片がその内側であって、第ｎ−２用紙片と第ｎ用紙片との端辺縁部における糊代よりも内側に内包されるように折り畳まれて位置付けられ、糊代で接着されることで形成されている。また、その袋綴じ部は、第ｎ−２用紙片と第ｎ用紙片との端辺縁部で無線綴じされている。したがって、第ｎ用紙片と第ｎ−１用紙片との間の折線を切り取れば、内包されていた第１〜第ｎ−２用紙片が袋綴じ部から現れ、展開することができるようになる。
【０００７】
このような雑誌類において、第ｎ用紙片及び第ｎ−１用紙片の折線には、ミシン目が形成されているとよい。この雑誌類によれば、第ｎ用紙片及び第ｎ−１用紙片の折線を切り取り易く、袋綴じ部を簡易に開くことができる。
【０００８】
また、このような雑誌類において、第１〜第ｎ−２用紙片は三つ折された用紙片であるとよい。この構成により、袋綴じ部を展開すれば、掲載表面が広い三つ折された用紙片が展開されることとなる。
【考案の効果】
【０００９】
本考案に係る雑誌類によれば、用紙片を内包させた袋綴じ部を設けることができる。
【考案を実施するための最良の形態】
【００１０】
以下、図面を参照しながら、本考案に係る雑誌類の好適な実施形態について詳細に説明する。
【００１１】
図１は、袋綴じ部を作製するための用紙１０における表面の展開図である。図１に示すように、用紙１０は、最左列から一方向に連接された第１〜第５用紙片を有する。図１では、各用紙片の表側を「表（１）」、「表（２）」、…「表（５）」と記している。各第１〜第５用紙片の幅を、ａ，ｂ，ｃ，ｄ，ｅとすれば、各幅は次式（１）のような関係となっている。また、各第１〜第５用紙片は折線１〜４によって区画されており、折線４にはミシン目が形成されている。
ａ  ＝  ｂ  ＜  ｃ  ＜  ｄ  ＝  ｅ        式（１）
【００１２】
まず、折線１を谷折して、図２に示すように、第１用紙片を裏側にする。図１中、「裏（１）」は第１用紙片の裏側面を示す。次に、図３に示すように、折線２を山折する。さらに、折線３を谷折すると、図４に示すように、式（１）の関係から、第１用紙片の端辺は、折線４には及ばず、第１用紙片と第２用紙片との間の折線１は、第３用紙片と第４用紙片との間の折線３よりも、第５用紙片側に位置し、第３用紙片の裏側面（裏（３））が一部、外側に露出している。
【００１３】
そこで、図４において、露出した第３用紙片に対して折線３に沿って、糊代５ａを設け、折線４を谷折したときに、糊代５ａに接着される糊代５ｂを第５用紙片の端辺に沿って設ける。そして、折線４に沿って谷折して、糊代５ａ，５ｂ同士を貼り合わせると、図５に示すように、袋綴じ部１１が作製される。このような袋綴じ部１１においては、第１〜第３用紙片は、第３用紙片と第５用紙片とが端辺縁部に沿って糊代５ａ，５ｂで接着されることにより、第４，５用紙片に内包されるように折り畳まれている。
【００１４】
続いて、袋綴じ部１１の糊代５ａ，５ｂに沿った端辺１２（第３用紙片と第５用紙片との端辺縁部：参照図５）にミーリングを施し、図６に示すように、端辺１２側を雑誌類１３に対して無線綴じする。雑誌類１３の作製には、オフセット機等を用いるとよい。このように作製された雑誌類１３は、折線４をミシン目に沿って切り取れば、内包されていた三つ折状の第１〜第３用紙片が袋綴じ部１１から現れ、展開させることができるようになる。
【００１５】
三つ折状の第１〜第３用紙片は、展開すると長く伸びるので、有名人の全身写真や風景等のパノラマ写真、カレンダー等を印刷し、ポスターとして利用することも可能である。
【００１６】
なお、本考案は、上記実施形態に限られない。
【００１７】
上記実施形態において、各用紙片の長さａ〜ｅは式（１）のような関係にあるとしたが、図４に示す状態において、糊代５ａ，５ｂが形成できるように、第３用紙片の端部が露出していれば、必ずしも、式（１）の関係である必要はない。また、袋綴じ部１１に内包される用紙片は、三つ折となった用紙片でなくともよく、それよりも長く連接された用紙片であってもよく、或いは短くてもよい。
【図面の簡単な説明】
【００１８】
【図１】本実施形態における袋綴じ部を作製する用紙の展開図である。
【図２】第１用紙片が谷折された状態を示す図である。
【図３】第２用紙片が山折された状態を示す図である。
【図４】第３用紙片が谷折され、糊代が形成された状態を示す図である。
【図５】作製された袋綴じ部を示す図である。
【図６】袋綴じ部を雑誌類に無線綴じされた状態を示す図である。
【符号の説明】
【００１９】
１〜３…折線
４…折線（ミシン目）
５ａ，５ｂ…糊代
１０…用紙
１１…袋綴じ部
１２…端辺
１３…雑誌類
表（１）…第１用紙片の表面
裏（１）…第１用紙片の裏面
表（２）…第２用紙片の表面
表（３）…第３用紙片の表面
裏（３）…第３用紙片の裏面
表（４）…第４用紙片の表面
表（５）…第５用紙片の表面
裏（５）…第５用紙片の裏面
【図１】
0003136913.tif 000003
【図２】
0003136913.tif 000004
【図３】
0003136913.tif 000005
【図４】
0003136913.tif 000006
【図５】
0003136913.tif 000007
【図６】
0003136913.tif 000008